(57)【要約】【課題】２つのガラスレンズを連結するブリッジとレンズに取り付けられ側面部品を支持する平坦なホルダーとを有する一組の眼鏡であって、レンズが固定部品（１）によりホルダーとブリッジとに連結されたものが開示されている。【解決手段】本発明は、少なくとも１つの固定部品（１）がガラスレンズ内の穴に挿入されるループ（２）を備え、このループの長さがガラスレンズの多様な厚みに適合可能となされていることを特徴とする。【選択図】図１
2004527008.tif 000002
【特許請求の範囲】
【請求項１】
２つのガラスレンズを連結するブリッジと該レンズに取り付けられ側面部品を支持する平坦なホルダーとを備える眼鏡であって、前記レンズは、固定部品（１）により前記ホルダーと前記ブリッジとに連結されている眼鏡において、
少なくとも１つの固定部品（１）は、前記ガラスレンズ内の穴に挿入されるループ（２）を備え、前記ループの長さが前記ガラスレンズの多様な厚みに適合可能となされていることを特徴とする眼鏡。
【請求項２】
前記ループ（２）は、ワイヤ、微細ワイヤの束、又は繊維束であることを特徴とする請求項１記載の眼鏡。
【請求項３】
前記穴は、前記ガラスレンズの縁近傍に位置する穴であることを特徴とする請求項１又は２記載の眼鏡。
【請求項４】
前記穴は、同一径の２つの穴から構成されることを特徴とする請求項１又は２記載の眼鏡。
【請求項５】
前記ループの長さは、前記ガラスレンズの異なる厚みに対して連続的に調整されることを特徴とする請求項１乃至４のうちいずれか１項記載の眼鏡。
【請求項６】
前記ループの長さは、前記ガラスレンズの異なる厚みに対して段階的に調整可能であることを特徴とする請求項１乃至４のうちいずれか１項記載の眼鏡。
【請求項７】
前記ループ（２）は、留め金機構により取り付けられることを特徴とする請求項１乃至６のうちいずれか１項記載の眼鏡。
【請求項８】
前記ループ（２）は、接着剤により取り付けられることを特徴とする請求項１乃至６のうちいずれか１項記載の眼鏡。
【請求項９】
前記接着剤は、放射線により活性化する接着剤、エポキシ樹脂系接着剤、溶融接着剤、又は熱可塑性合成材料であることを特徴とする請求項８記載の眼鏡。
【請求項１０】
前記ループ（２）は、溶接により取り付けられることを特徴とする請求項１乃至６のうちいずれか１項記載の眼鏡。
【請求項１１】
前記溶接工程は、レーザーによる溶接工程、超音波による溶接工程、又は微小抵抗による溶接工程であることを特徴とする請求項１０記載の眼鏡。
【請求項１２】
前記ループ（２）は、軟半田付により取り付けられることを特徴とする請求項１乃至６のうちいずれか１項記載の眼鏡。
【請求項１３】
前記ループ（２）は、クランプ接続又は締め付け接続により取り付けられることを特徴とする請求項１乃至６のうちいずれか１項記載の眼鏡。
【発明の詳細な説明】
【技術分野】
【０００１】
本発明は、２つのレンズを連結するブリッジとフレームの側面部品（つまり、アームやつる）を支持するためにレンズに取り付けられた平坦なホルダーとを備え、固定部品によりレンズがホルダーとブリッジとに連結された一組の眼鏡に関するものである。
【背景技術】
【０００２】
一般に、眼鏡レンズやレンズが取り付けられたフレームの様々な部品は、ねじ、ねじスリーブ、又はねじピン及びナットにより互いに連結されている。通常、このような配列は、所定位置からズレないように、眼鏡レンズの縁にて２つの穴を貫通する固定手段や切欠きにピンを貫通させる部品により固定される。ここで、一般に用いられる工程としては、Ｕ字状のワイヤをガラス内の溝に挿入する工程がある。
【０００３】
具体的には、眼鏡フレームのレンズ保持部に、フレームの一部に支持された複数の保持ピンが２個ひと組になって配置され、かかるピンの各々がガラスレンズの穴に係合するものが開示されている（例えば、特許文献１参照）。この場合、保持ピンは、Ｕ字形に折り曲げられたワイヤ片の延長脚部から構成され、このワイヤ片が２つの脚部を連結する横桟を介してフレームの一部に取り付けられている。
【０００４】
また、２つのレンズを連結するブリッジと複数の付属品をも備える穿孔されたフレームが開示されている(例えば、特許文献２参照)。これら複数の付属品の各々は、ロッド状の取付部品を備える。本発明の設計では、各ロッド状取付部品は、幅広領域を有し、レンズは、これに対応する形状のスリット状の穴をガラスレンズの縁から離間した位置に有しており、これにより潜在的な接触領域を拡大して張力を生じないような形状嵌合による係合を可能とする。そして、ロッド状取付部品は、回転に抗して強固に締められる。
【特許文献１】
欧州特許出願公開第０５６１７６３号明細書
【特許文献２】
欧州特許出願公開第１０２４３９０号明細書
【発明の開示】
【発明が解決しようとする課題】
【０００５】
ところで、当該技術分野の状況で公知の多くの固定部品においては、ガラスに対して手の込んだ工程が必要とされ、その工程の中には特別な道具を用いなければ実現できない工程もある。さらに、レンズの厚さが非常に薄いものから非常に厚いものまで眼鏡フレームを適合可能とさせるためには、多様な形状の固定部品の補充を必須とする複数の留めていない部品を取り扱う必要がしばしば生じる。
【０００６】
そこで、本発明は、上述した当該技術分野の状況の欠点を解消するとともに、ガラス工程で特別な道具を必要とせず、非常に小さな寸法とすることができ、その寸法にも関わらずレンズの強固な固定を保障するような固定部品を用いた眼鏡を提供できるようにすることを目的とする。
【課題を解決するための手段】
【０００７】
本目的は、少なくとも１つの固定部品がループ状でありガラスレンズ内の穴に挿入され当該ループの長さが多様な厚みのレンズを収容するようになされることにより達成されるものである。
【０００８】
ループは、ワイヤ、微細ワイヤの束、又は繊維束から形成することができる。
【０００９】
ガラスレンズ内の穴は、ガラスレンズの縁近傍に位置する１つの穴、又は同一径の２つの穴を含む。
【００１０】
ループの長さは、ガラスレンズの異なる厚みに対して連続的に調整可能であるか、或いは段階的に適合可能である。
【００１１】
これらループを所定位置に保持するには、多様な方法が想定されうる。例えば、ループは、留め金機構、接着剤、溶接、半田、又はクランプ接続或いは締め付け接続により取り付けることができる。
【００１２】
接着剤がループを所定位置に保持するのに用いられる場合には、接着剤として次の数種類であると良い。すなわち、放射線により活性化する接着剤、エポキシ樹脂系の接着剤、溶融接着剤、又は熱可塑性材料である。
【発明の効果】
【００１３】
ループを溶接により取り付ける場合には、レーザータイプ、超音波タイプ、又は微小抵抗タイプの工程を用いることができる。
【発明を実施するための最良の形態】
【００１４】
以下、添付図面を参照して本発明を詳細に説明する。
【００１５】
本発明の固定部品（１）は、ループ（２）の一種から構成される。このループは、ガラスレンズの縁近傍の１つの穴を貫通するか（図１）、或いはその他の場合として同一径の２つの近接した穴を貫通する（図２）。そして、このループは、きつく引っ張られ、第１の場合、レンズの縁に配置された支持部分に取外し可能に又は半永久的に連結され、第２の場合、ガラスの前面又は背面に連結される。
【００１６】
図中矢印は、上述した工程の何れかによる取付部分を示している。
【図面の簡単な説明】
【００１７】
【図１】レンズの外方縁部の近傍にある１つの穴にループの一種を固定した状態を示す図である。
【図２】レンズの裏面側で２つの穴にループの一種を固定した状態を示す図である。
【符号の説明】
【００１８】
１  固定部品
２  ループ
【国際公開パンフレット】
2004527008.tif 000003
2004527008.tif 000004
2004527008.tif 000005
2004527008.tif 000006
2004527008.tif 000007
2004527008.tif 000008
2004527008.tif 000009
2004527008.tif 000010
2004527008.tif 000011
【国際公開パンフレット（コレクトバージョン）】
2004527008.tif 000012
【国際調査報告】
2004527008.tif 000013
2004527008.tif 000014
2004527008.tif 000015
2004527008.tif 000016
2004527008.tif 000017
2004527008.tif 000018